(57)【特許請求の範囲】
【請求項１】
カテーテルシャフトと、
前記カテーテルシャフトの先端に固定された中空構造の先端電極と、
前記カテーテルシャフトの後端に装着された制御ハンドルと、
前記カテーテルシャフトの内部に軸方向に沿って配置され、その先端が前記先端電極の内部空間に充填されたはんだにより当該先端電極に固定され、その後端が高周波発生装置に接続されるリード線と、
前記先端電極の内部空間におけるはんだの充填位置よりも後端側に配置され、当該先端電極に対して電気的に絶縁されたリング状部材と、
前記カテーテルシャフトの内部に軸方向に沿って配置され、その先端部分が前記リング状部材の内周面に固定され、その後端側が引張操作可能な操作用ワイヤと、
を備え、
前記先端電極は、電極本体部分と、当該電極本体部分よりも外径の小さい円筒状部分とからなり、前記先端電極の円筒状部分が前記カテーテルシャフトの内部に挿入されることにより、当該先端電極が当該カテーテルシャフトの先端に固定され、
前記先端電極の内部空間は、前記円筒状部分および前記電極本体部分の後端側の一部において前記リング状部材を嵌挿可能な径を有するとともに、後端側の一部を除いた前記電極本体部分において前記リング状部材の外径より小さな径を有し、
前記リード線の先端を前記先端電極に固定するためのはんだは、後端側の一部を除いた前記電極本体部分に囲まれた前記内部空間に充填され、
前記リング状部材は、前記円筒状部分および前記電極本体部分の後端側の一部に囲まれた前記内部空間に配置されていることを特徴とするアブレーションカテーテル。
【請求項２】
前記操作用ワイヤの先端部分が前記リング状部材の内周面に対して溶接により固定されていることを特徴とする請求項１に記載のアブレーションカテーテル。
【請求項３】
前記リング状部材の表面に絶縁性樹脂被膜が形成されていることを特徴とする請求項１または請求項２に記載のアブレーションカテーテル。
【請求項４】
前記操作用ワイヤの少なくとも先端部分の表面に絶縁性樹脂被膜が形成されていることを特徴とする請求項３に記載のアブレーションカテーテル。
【請求項５】
前記リング状部材は、前記先端電極の内部空間の径が変化する部分における内周面と、前記カテーテルシャフトの端面とにより挟持されることにより、当該先端電極の内部空間に固定配置されることを特徴とする請求項１に記載のアブレーションカテーテル。
【発明の詳細な説明】
【技術分野】
【０００１】
本発明はアブレーションカテーテルに関し、更に詳しくは、先端偏向操作が可能であり、カテーテルシャフトの内部において、先端偏向操作のための操作用ワイヤと、先端電極などに接続されているリード線との間で短絡（ショート）が起きることを有効に防止することができるアブレーションカテーテルに関する。
【背景技術】
【０００２】
経皮的カテーテル心筋焼灼術による不整脈の治療に使用するアブレーションカテーテルにおいて、心腔内に挿入したカテーテルの遠位端（先端）の向きを、体外に配置したカテーテルの近位端（後端または手元側）に装着された操作部を操作して変化（偏向）させる必要性が生じる。
【０００３】
カテーテルの先端を手元側で操作して偏向させることのできるカテーテルとして、特許文献１に示す先端偏向操作可能カテーテルが紹介されている。
図６は、特許文献１に係るカテーテルの先端領域を示す断面図である。このカテーテルは、カテーテルチューブ（カテーテルシャフト）９１と、このカテーテルチューブ９１の先端に固定された内部空間を有する中空構造の先端電極９２と、基端側が引っ張り操作できる２本の操作用ワイヤ９３と、カテーテルチューブ９１の先端側内部に軸方向に沿って配置され、撓み方向に変形移動可能な首振り用板バネ９４とを有し、首振り用板バネ９４および操作用ワイヤ９３の各先端は、先端電極９２の内部空間に充填されたはんだ９５によって、先端電極９２に対して固定されている。はんだ９５は、高周波発生装置に接続されるリード線（図示省略）を先端電極に接続するために充填されている。
【０００４】
なお、図６において、９３ａは操作用ワイヤ９３の抜け止め用大径部、９６はカテーテルチューブ９１に巻着されたリング状電極、９７はコイルチューブ、９８は非導電性材料からなる操作用チューブである。操作用ワイヤ９３は、操作用チューブ９８の内部に軸方向に移動自在に挿通されている。
【０００５】
図６に示したような構造のカテーテルによれば、先端電極９２に対して首振り用板バネ９４および操作用ワイヤ９３の先端が接続固定されているので、この操作用ワイヤ９３を操作することにより、カテーテルチューブ９１の先端付近の部分にカーブ形状を形成することが可能になり、カテーテルチューブの内部において操作用ワイヤの先端を固定したもの（この場合には、先端付近の部分はカーブ形状にならず直線状となる。）と比較して、心腔内における操作性が優れたものとなる。
【先行技術文献】
【特許文献】
【０００６】
【特許文献１】特開２００６−６１３５０号公報
【発明の概要】
【発明が解決しようとする課題】
【０００７】
図６に示したような構造のカテーテルによるアブレーション治療時において、高周波発生装置によって発生させた高周波電流が、先端電極９２に接続されたリード線および先端電極９２の内部空間に充填されたはんだ９５を介して、通常、金属で構成されている操作用ワイヤ９３に流れることになる。
【０００８】
また、操作用チューブ９８の肉厚は０．０３〜０．０８ｍｍと薄く、その内部において操作用ワイヤ９３が軸方向の移動を繰り返すうちに、チューブ壁が擦過されてピンホールなどが発生する。
この結果、カテーテルチューブ９１の内部において、高周波電流が流れている操作用ワイヤ９３と、リード線（先端電極９２またはリング状電極９６に接続されたリード線）とが短絡（ショート）するリスクがある。
【０００９】
操作用ワイヤとリード線との短絡は、カテーテルチューブの全長にわたって起こる可能性があり、また、操作用ワイヤおよびリード線は、制御ハンドルの内部まで延在しているため、制御ハンドルの内部で短絡が起こることも考えられる。
【００１０】
なお、マルチルーメン構造のカテーテルチューブを採用し、操作用ワイヤとリード線とを異なるルーメンに挿通する場合においても、２つのルーメン間を仕切る隔壁（樹脂材料）の厚さは０．１ｍｍ程度であるため、操作用ワイヤ９３の移動を繰り返すことにより、隔壁が磨耗したり、隔壁にピンホールなどが発生したりする。このため、操作用ワイヤとリード線との短絡の問題を解決することはできない。
【００１１】
カテーテルチューブの内部における操作用ワイヤとリード線との短絡を防止するためには、先端電極と操作用ワイヤとを電気的に絶縁する必要があり、両者を電気的に絶縁するために下記の手段が考えられる。
（１）操作用ワイヤの先端を、カテーテルチューブの内部における先端電極から離間させた位置に固定する。
（２）操作用ワイヤの少なくとも先端部分に絶縁性樹脂被覆を形成した後、樹脂被覆された操作用ワイヤの先端を、先端電極の内部空間に充填されたはんだによって、先端電極に対して固定する。
【００１２】
しかし、上記（１）の手段では、操作用ワイヤを引張操作しても、カテーテルチューブの先端付近の部分をカーブ形状にできずに直線状のままとなり、このようなカテーテルでは、心腔内における操作性が劣るものとなる。
また、上記（２）の手段では、はんだづけするときの温度（通常２００〜３００℃）で、操作用ワイヤの先端部分に形成した被覆樹脂が破壊され、絶縁性を確保することができなくなる。
【００１３】
本発明は以上のような事情に基いてなされたものである。
本発明の目的は、操作用ワイヤを操作することによってカテーテルシャフトの先端付近の部分をカーブ形状にすることができ、心腔内における操作性に優れたものでありながら、操作用ワイヤと先端電極との電気的絶縁性が確保され、これを使用してアブレーション治療を行うときに、カテーテルシャフトの内部および制御ハンドルの内部において、操作用ワイヤとリード線との短絡のリスクのないアブレーションカテーテルを提供することにある。
【００１４】
（１）本発明のアブレーションカテーテルは、カテーテルシャフトと、
前記カテーテルシャフトの先端に固定された内部空間を有する中空構造の先端電極と、  前記カテーテルシャフトの後端に装着された制御ハンドルと、
前記カテーテルシャフトの内部に軸方向に沿って配置され、その先端が前記先端電極の内部空間に充填されたはんだにより当該先端電極に固定され、その後端が高周波発生装置に接続されるリード線と、
前記先端電極の内部空間におけるはんだの充填位置よりも後端側に配置され、当該先端電極に対して電気的に絶縁されたリング状部材と、
前記カテーテルシャフトの内部に軸方向に沿って配置され、その先端部分が前記リング状部材の内周面に固定され、その後端側が引張操作可能な操作用ワイヤと、
を備えていることを特徴とする。
【００１５】
このような構成のアブレーションカテーテルによれば、先端電極に対して電気的に絶縁されたリング状部材の内周面に、操作用ワイヤの先端部分が固定されているので、使用時（アブレーション治療時）において、高周波発生装置からリード線を経て先端電極に流れる高周波電流が測定用ワイヤに流れることはない。
測定用ワイヤに高周波電流が流れないので、カテーテルシャフトの内部および制御ハンドルの内部の何れにおいても、操作用ワイヤとリード線とが短絡することはない。
【００１６】
また、操作用ワイヤの先端部分は、リング状部材の内周面に固定された状態で先端電極の内部空間に位置される（先端電極内において操作用ワイヤの先端が固定される）ため、操作用ワイヤを操作することによってカテーテルシャフトの先端付近の部分をカーブ形状にすること（カテーテルシャフトの略先端までカーブさせること）ができる。
【００１７】
（２）本発明のアブレーションカテーテルにおいて、前記操作用ワイヤの先端部分が前記リング状部材の内周面に対して溶接により固定されていることが好ましい。
これにより、リング状部材の内周面に対して操作用ワイヤの先端部分が強固に固定され、操作用ワイヤの引張操作によっても、操作用ワイヤがリング状部材の内周面から外れることはない。
【００１８】
（３）本発明のアブレーションカテーテルにおいて、前記リング状部材の表面に絶縁性樹脂被膜が形成されていることが好ましい。
リング状部材の表面に絶縁性樹脂被膜を形成することにより、当該リング状部材の先端電極に対する電気的絶縁性を確保することができる。
【００１９】
（４）この場合において、前記操作用ワイヤの少なくとも先端部分の表面に絶縁性樹脂被膜が形成されていることが好ましい。
操作用ワイヤの先端部分は、リング状部材の内周面に固定された状態で先端電極の内部空間に位置されるため、操作用ワイヤの少なくとも先端部分の表面に絶縁性樹脂被膜を形成することにより、先端電極に対する操作用ワイヤの電気的絶縁性を確実なものとすることができる。
【００２０】
（５）本発明のアブレーションカテーテルにおいて、前記先端電極は、電極本体部分と、当該電極本体部分よりも外径の小さい円筒状部分とからなり、前記先端電極の円筒状部分が前記カテーテルシャフトの内部に挿入されることにより、当該先端電極が当該カテーテルシャフトの先端に固定され、
前記先端電極の内部空間は、前記円筒状部分および前記電極本体部分の後端側の一部において前記リング状部材を嵌挿可能な径（Ｄ）を有するとともに、後端側の一部を除いた前記電極本体部分において前記リング状部材の外径より小さな径（ｄ）を有し、
前記リード線の先端を前記先端電極に固定するためのはんだは、後端側の一部を除いた前記電極本体部分に囲まれた前記内部空間に充填され、
前記リング状部材は、前記円筒状部分および前記電極本体部分の後端側の一部に囲まれた前記内部空間に配置されている。
【００２１】
これにより、リング状電極は、先端電極の内部空間において、はんだが充填されている先端側（リング状部材の外径よりも小さな径（ｄ）を有する空間領域）に移動することが規制され、はんだの充填位置よりも後端側（リング状部材を嵌挿可能な径（Ｄ）を有する空間領域）において嵌挿配置される。
しかも、円筒状部分および電極本体部分の後端側の一部に囲まれた内部空間にリング状部材が配置されることにより、このリング状部材の先端を、電極本体部分の一部に囲まれた空間領域に位置させる（先端電極の電極本体部分内に操作用ワイヤの先端を固定する）ことができる。
【００２２】
（６）この場合において、前記リング状部材は、前記先端電極の内部空間の径が変化する部分における内周面と、前記カテーテルシャフトの端面とにより挟持されることにより、当該先端電極の内部空間に固定配置されることが好ましい。
【００２３】
これにより、リング状電極は、先端側および後端側の何れにも移動することが規制され、先端電極の内部空間（リング状部材を嵌挿可能な径（Ｄ）を有する後端側の空間領域）において固定配置される。
【発明の効果】
【００２４】
本発明のアブレーションカテーテルによれば、操作用ワイヤの先端部分が、リング状部材の内周面に固定された状態で先端電極の内部空間に位置されている（先端電極内に操作用ワイヤの先端が固定されている）ので、操作用ワイヤを操作することによりカテーテルシャフトの先端付近の部分をカーブ形状にすることができ、心腔内において良好な操作性を発揮することができる。
しかも、操作用ワイヤと先端電極との間の電気的絶縁性が確保されているので、アブレーション治療を行うときに、測定用ワイヤに高周波電流が流れることがなく、カテーテルシャフトの内部および制御ハンドルの内部の何れにおいても、操作用ワイヤとリード線とが短絡することはない。
【図面の簡単な説明】
【００２５】
【図１】本発明の一実施形態に係るアブレーションカテーテルの正面図である。
【図２】図１に示すカテーテルの先端領域を示す縦断面図である。
【図３】図１に示すカテーテルの先端領域における横断面図（図２の III−III 断面図）である。
【図４】図１に示すカテーテルの要部拡大断面図（図２のIV−IV線に沿う拡大断面図）である。
【図５】図１に示すカテーテルを構成する先端電極の断面図である。
【図６】従来のカテーテルの先端領域を示す縦断面図である。
【発明を実施するための形態】
【００２６】
以下、本発明の一実施形態について図面を用いて説明する。
本実施形態のアブレーションカテーテルは、３つのルーメン（第１ルーメン１１、第２ルーメン１２、第３ルーメン１３）を有するカテーテルシャフト１０と、このカテーテルシャフト１０の後端に装着された制御ハンドル７０と、カテーテルシャフト１０の先端に固定された中空構造の（内部空間２０Ｃを有する）先端電極２０と、カテーテルシャフト１０の第３ルーメン１３に配置され、その先端が先端電極２０の内部空間２０Ｃに充填されたはんだ６０により先端電極２０に固定され、その後端が高周波発生装置に接続されるリード線４０と、先端電極２０の内部空間２０Ｃにおけるはんだ６０の充填位置よりも後端側に配置され、先端電極２０に対して電気的に絶縁されたリング状部材５０と、カテーテルシャフト１０の第１ルーメン１１に配置され、その先端部分３１１がリング状部材５０の内周面において溶接により固定され、その後端側が引張操作可能な操作用ワイヤ３１と、カテーテルシャフト１０の第２ルーメン１２に配置され、その先端部分３２１がリング状部材５０の内周面の操作用ワイヤ３１に対向する位置において溶接により固定され、その後端側が引張操作可能な操作用ワイヤ３２とを備えている。
【００２７】
本実施形態のアブレーションカテーテルを構成するカテーテルシャフト１０は、３つのルーメン（第１ルーメン１１、第２ルーメン１２、第３ルーメン１３）を有している。
カテーテルシャフト１０の第１ルーメン１１には操作用ワイヤ３１が軸方向に移動自在に挿通され、第２ルーメン１２には操作用ワイヤ３２が軸方向に移動自在に挿通されている。カテーテルシャフト１０の第３ルーメン１３には、先端電極２０に接続されるリード線４０が挿通されている。
【００２８】
カテーテルシャフト１０の構成材料としては、例えばポリオレフィン、ポリウレタン、ポリアミド、ポリエーテルポリアミドなどの合成樹脂を挙げることができる。カテーテルシャフト１０の外径は、通常０．６〜３ｍｍ程度とされる。
【００２９】
図１に示すように、カテーテルシャフト１０の後端には制御ハンドル７０が装着されている。この制御ハンドル７０には、カテーテルシャフト１０の先端の偏向移動操作（首振り操作）を行うための回転板７５が装着してある。
【００３０】
カテーテルシャフト１０の先端には先端電極２０が固定されている。
図５に示すように、先端電極２０は、内部空間２０Ｃを有する中空構造体であり、電極本体部分２０１と、この電極本体部分２０１よりも外径の小さい円筒状部分２０２とからなる。
【００３１】
先端電極２０の円筒状部分２０２がカテーテルシャフト１０の内部に挿入されることにより、カテーテルシャフト１０の先端に先端電極２０が固定される。具体的には、図４に示すように、カテーテルシャフト１０の先端部（先端から０．１〜３ｍｍ程度）における樹脂材料をくり抜いて（カテーテルシャフト１０の外層を構成する樹脂材料を残して）円周状の溝を形成し、この溝内に、先端電極２０の円筒状部分２０２を挿入し、その後端を、カテーテルシャフト１０の端面（先端部の樹脂材料がくり抜かれた内側の端面）に当接させた状態で、適宜接着剤などを用いて固定する。
これにより、先端電極２０は、カテーテルシャフト１０の先端から電極本体部分２０１が突出している状態で固定される。
【００３２】
先端電極２０（電極本体部分２０１）の外径は、特に限定されないが、カテーテルシャフト１０の外径と同程度であることが好ましく、通常、０．５〜３ｍｍ程度である。
先端電極２０の内部空間２０Ｃは異なる径（先端電極の内径）を有している。
すなわち、先端電極２０の内部空間２０Ｃは、円筒状部分２０２および電極本体部分２０１の後端側の一部において、リング状部材５０を嵌挿することのできる径（Ｄ）を有し（以下、この径（Ｄ）を有する空間領域を「第１空間領域」という。）、後端側の一部を除いた電極本体部分２０１において、リング状部材５０の外径より小さな径（ｄ）を有している（以下、この径（ｄ）を有する空間領域を「第２空間領域」という。）。
【００３３】
第１空間領域におけるリング状部材５０を嵌挿可能な径（Ｄ）としては、リング状部材５０の外径より０．１〜０．５ｍｍ程度大きな径とされる。
第２空間領域におけるリング状部材５０の外径より小さな径（ｄ）としては、リング状部材５０の外径より０．０１〜１ｍｍ程度小さい径とされる。
【００３４】
先端電極２０の構成材料としては、例えばアルミニウム、銅、ステンレス、金、白金など、熱伝導性の良好な金属材料を挙げることができる。なお、Ｘ線に対する造影性を良好に持たせるためには、先端電極２０は、白金などで構成されることが好ましい。
【００３５】
先端電極２０には、高周波電流を供給するためのリード線４０が接続されている。
リード線４０の先端は、先端電極２０の内部空間２０Ｃ（第２空間領域）に充填されたはんだ６０により先端電極２０に固定されている。このようにして先端電極２０に接続されたリード線４０は、カテーテルシャフト１０の第３ルーメン１３に挿通され、制御ハンドル７０の内部を通って制御ハンドル７０から引き出される。制御ハンドル７０から引き出されたリード線４０の後端は、アブレーションカテーテルの使用時において高周波発生装置に接続される。
【００３６】
先端電極２０の内部空間２０Ｃに充填されるはんだ６０の材料としては特に限定されるものではなく、例えばＳｎ−Ｐｂ、Ｓｎ−Ｐｂ−Ａｇ、Ｓｎ−Ｐｂ−Ｃｕ、Ｓｎ−Ａｇ−Ｃｕ、Ｓｎ−Ｃｕ、Ｓｎ−Ａｇ、Ｓｎ−Ａｇ−Ｃｕ−Ｂｉなどを挙げることができる。
【００３７】
図２および図４に示したように、先端電極２０の内部空間２０Ｃにおけるはんだ６０の充填位置よりも後端側（第１空間領域）においてリング状部材５０が配置されている。
【００３８】
リング状部材５０の構成材料（基材）としては、白金、ステンレス、銅、アルミニウムなどの金属材料を挙げることができる。
【００３９】
リング状部材５０は先端電極２０に対して電気的に絶縁されている。リング状部材５０の先端電極２０に対する電気的絶縁性は、リング状部材５０の基材表面に絶縁性樹脂被膜（図示省略）を形成することにより確保されている。ここに、樹脂被膜を形成する絶縁性樹脂としては、ポリテトラフルオロエチレン（ＰＴＦＥ）、パーフルオロアルキルビニルエーテル共重合体（ＰＦＡ）などを例示することができる。
【００４０】
リング状部材５０の外径は、先端電極２０の内部空間２０Ｃ（第１空間領域）の径（Ｄ）によって異なるが、例えば１〜２．５ｍｍ程度である。
【００４１】
リング状部材５０の先端は、先端電極２０の内部空間２０Ｃの径が（Ｄ）から（ｄ）に変化するテーパ部分（第１空間領域と第２空間領域との間に位置するこのテーパ部分は、カテーテルシャフト１０の先端より先端側に位置している）における内周面２０３に当接され、先端側（第２空間領域）に移動することが規制されている。
【００４２】
また、リング状部材５０の長さは、その後端が、先端電極２０（円筒状部分２０２）の後端と一致するよう、第１空間領域の長さと実質的に同一である。これにより、リング状部材５０の後端は、カテーテルシャフト１０の端面（先端部の樹脂材料がくり抜かれた内側の端面）に当接され、後端側に移動することが規制されている。
この結果、リング状部材５０は、テーパ部分における内周面２０３と、カテーテルシャフト１０の端面とによって挟持され、先端電極２０の内部空間２０Ｃ（第１空間領域）に固定配置されている。
【００４３】
なお、先端電極２０の内周面（第１空間領域を区画する内周面）と、リング状部材５０の外周面との隙間に接着剤などを塗布してもよい。
また、リング状部材の長さを第１空間領域の長さより短くしてもよく、この場合には、リング状部材の後端と、カテーテルシャフト１０の端面との間にギャップが存在するため、先端電極２０の内周面にリング状部材を接着剤により固定する。
【００４４】
先端電極２０の内部空間２０Ｃ（第１空間領域）に配置されたリング状部材５０の内周面には、互いに対向する位置に、操作用ワイヤ３１の先端部分３１１および操作用ワイヤ３２の先端部分３２１が溶接によって固定されている。
図４に示したように、操作用ワイヤ３１，３２（先端部分３１１，３２１）の先端は、リング状部材５０の先端と一致させている。なお、図４において、Ｗは溶接部である。
【００４５】
リング状部材５０の内周面に先端部分３１１が固定された操作用ワイヤ３１は、カテーテルシャフト１０の第１ルーメン１１を軸方向に移動自在に挿通されている。
また、リング状部材５０の内周面に先端部分３２１が固定された操作用ワイヤ３２は、カテーテルシャフト１０の第２ルーメン１２を軸方向に移動自在に挿通されている。
【００４６】
操作用ワイヤ３１，３２の後端は、制御ハンドル７０の回転板７５における互いに離間した位置に接続されている。
制御ハンドル７０の把持部を片手でつかみ、その片手の指で回転板７５を操作する（所定の方向に回転させる）ことにより、操作用ワイヤ３１，３２の張力が変化し、図１に示したカテーテルシャフト１０の先端付近を含む先端側の領域１５が、同図において矢印Ａまたは矢印Ｂに示す方向に屈曲する。
【００４７】
すなわち、回転板７５を、例えば、図１に示すＡ１方向に回転させると、操作用ワイヤ３１が引っ張られ、操作用ワイヤ３２は緩む。その結果として、カテーテルシャフト１０の先端側の領域１５が矢印Ａに示す方向に屈曲する。
同様にして、回転板７５を、例えば、図１に示すＢ１方向に回転させると、操作用ワイヤ３２が引っ張られ、操作用ワイヤ３１は緩む。その結果として、カテーテルシャフト１０の先端側の領域１５が矢印Ｂに示す方向に屈曲する。
制御ハンドル７０を軸回りに回転させれば、体腔内に挿入された状態で、アブレーションカテーテルに対するＡまたはＢ方向の向きを自由に設定することができる。
【００４８】
操作用ワイヤ３１，３２の外径は、特に限定されないが、好ましくは０．０１〜０．５ｍｍ、更に好ましくは０．１〜０．３ｍｍである。
操作用ワイヤ３１，３２の構成材料としては、ステンレスやＮｉ−Ｔｉ系超弾性合金を挙げることができる。
【００４９】
操作用ワイヤ３１，３２の先端部分３１１，３２１（リング状部材５０の内周面に溶接固定された状態で先端電極の内部空間に配置されている部分）には、絶縁性樹脂被膜（図示省略）が形成されている。絶縁性樹脂被膜は、リング状部材５０の内周面に固定された先端部分３１１，３２１および先端部分３１１，３２１に続く部分（リング状部材５０の後端より延び出してから５〜１０ｍｍ程度基端側に至るまでの部分）における基材表面に形成されている。
【００５０】
操作用ワイヤ３１，３２における絶縁性樹脂被膜は、通常、リング状部材５０における絶縁性樹脂被膜と同時に形成される。
操作用ワイヤ３１，３２の少なくとも先端部分３１１，３２１に絶縁性樹脂被膜が形成されていることにより、先端電極２０に対する操作用ワイヤ３１，３２の電気的絶縁性を確実なものとすることができる。
【００５１】
本実施形態のアブレーションカテーテルは、例えば、下記のような工程を経て製造することができる。
【００５２】
（１）リング状部材５０となる基材（リング状金属材料）の内周面に操作用ワイヤ３１，３２の先端部分３１１，３２１を溶接固定する。これにより、リング状金属材料−操作用ワイヤの組立体が得られる。
【００５３】
（２）上記（１）で得られたリング状金属材料−操作用ワイヤの組立体について、基材（リング状金属材料）の表面、並びに、基材の内周面に溶接固定された操作用ワイヤ３１，３２の先端部分３１１，３２１およびこの部分に続く部分（５〜１０ｍｍ程度）の表面に絶縁性樹脂被膜を形成する。これにより、先端電極２０に対する電気的絶縁性が確保されたリング状部材−操作用ワイヤの組立体が得られる。
【００５４】
（３）先端電極２０の内部空間２０Ｃ（第２空間領域）に充填したはんだ６０によりリード線４０の先端を固定し、先端電極２０にリード線４０の先端を接続する。これにより、先端電極−リード線の組立体が得られる。
【００５５】
（４）上記（３）で得られた先端電極−リード線の組立体を構成する先端電極２０の内部空間２０Ｃ（第１空間領域）に、上記（２）で得られたリング状部材−操作用ワイヤの組立体を構成するリング状部材５０を嵌挿して配置する。これにより、リード線−先端電極−リング状部材−操作用ワイヤの組立体が得られる。
【００５６】
（５）上記（４）で得られたリード線−先端電極−リング状部材−操作用ワイヤの組立体を、カテーテルシャフト１０に装着する。
具体的には、この組立体を構成する操作用ワイヤ３１、操作用ワイヤ３２およびリード線４０を、カテーテルシャフト１０の第１ルーメン１１、第２ルーメン１２および第３ルーメン１３に挿通した後、内部空間２０Ｃにリング状部材５０が配置されている先端電極２０の円筒状部分２０２を、カテーテルシャフト１０の先端部の樹脂材料をくり抜いて形成した円周状の溝内に挿入し、先端電極２０（円筒状部分２０２）およびリング状部材５０の後端を、カテーテルシャフト１０の端面（先端部の樹脂材料をくり抜いた内側の端面）に当接させ、この状態で、先端電極２０（円筒状部分２０２）をカテーテルシャフト１０の先端部に接着固定する。
以上のような工程により、図１乃至図４に示したような構造を有する本実施形態のアブレーションカテーテルを得ることができる。
【００５７】
本実施形態のアブレーションカテーテルによれば、操作用ワイヤ３１，３２の先端部分３１１，３２１が、リング状部材５０の内周面に溶接固定された状態で先端電極２０の内部空間２０Ｃ（第１空間領域）に位置されている（操作用ワイヤ３１，３２の先端が先端電極２０内に位置する）ので、操作用ワイヤ３１，３２を操作することによりカテーテルシャフト１０の先端付近の部分をカーブ形状にすること（カテーテルシャフト１０の略先端までカーブさせること）ができ、心腔内において良好な操作性を発揮することができる。
【００５８】
しかも、リング状部材５０および操作用ワイヤ３１，３２の少なくとも先端部分３１１，３２１の表面に絶縁性樹脂被膜が形成されていることによって、操作用ワイヤ３１１，３２１と先端電極２０との間の電気的絶縁性が確保されているので、本実施形態のアブレーションカテーテルによって治療を行うときに、測定用ワイヤ３１，３２に高周波電流が流れることがない。測定用ワイヤ３１，３２には高周波電流が流れないので、第１ルーメン１１または第２ルーメン１２と、第３ルーメン１３とを仕切る隔壁が磨耗したり、隔壁にピンホールなどが発生したりしても、カテーテルシャフト１０の内部において、操作用ワイヤ３１または操作用ワイヤ３２と、リード線４０とが短絡することはない。また、制御ハンドル７０の内部においても、操作用ワイヤ３１，３２とリード線４０とが短絡することはない。
【００５９】
以上、本発明の一実施形態について説明したが、本発明はこれらに限定されるものではなく、本発明の範囲内で種々の変更が可能である。
例えば、カテーテルシャフトの先端部外周にリング状電極が装着されていてもよい。
また、先端電極の内部空間に熱電対などの温度センサが固定されていてもよい。
また、首振り部材として、撓み方向に変形移動可能な板バネが、カテーテルシャフトの先端側内部に配置されていてもよい。
また、カテーテルシャフトのルーメンの数は３つに限定されるものでないことは勿論である。
更に、操作用ワイヤは一本であってもよい。
【符号の説明】
【００６０】
１０    カテーテルシャフト
１１    第１ルーメン
１２    第２ルーメン
１３    第３ルーメン
２０    先端電極
２０１  電極本体部分
２０２  円筒状部
２０３  テーパ部分における内周面
２０Ｃ  内部空間
３１    操作用ワイヤ
３１１  操作用ワイヤの先端部分
３２    操作用ワイヤ
３２１  操作用ワイヤの先端部分
４０    リード線
５０    リング状部材
６０    はんだ
【図１】
0005618779.tif 000002
【図２】
0005618779.tif 000003
【図３】
0005618779.tif 000004
【図４】
0005618779.tif 000005
【図５】
0005618779.tif 000006
【図６】
0005618779.tif 000007